(57)【要約】【課題】プリンタを長期停止中もマガジン内の記録紙が周辺湿度の影響を受け難いプリンタを提供する。【解決手段】ペーパマガジンとプリント部と筐体とを有し、筐体にマガジンドア１５ｂが備えられており、マガジンドア１５ｂは、閉じた作用位置と開いたメンテナンス位置との間で切り換え可能であり、記録紙ＲＰのための開口部を閉じる封鎖位置と、開口部を開放した開放位置との間で切り換え可能な封鎖部材５を備え、マガジンドア１５ｂの作用位置への切り換えに応じて、封鎖部材５を開放位置に切り換え、マガジンドア１５ｂの遮蔽解除位置へ向けた変位操作に応じて、封鎖部材５を封鎖位置に切り換える切換機構が設けられているプリンタにおいて、マガジンドア１５ｂを封鎖部材５が封鎖位置となる半開位置に位置決めする固定機構７，８を設けた。【選択図】図７
2008018564.tif 000002
【特許請求の範囲】
【請求項１】
記録紙を収納したペーパマガジンと、前記ペーパマガジンの開口部から引き出された記録紙に画像を形成するプリント部と、前記ペーパマガジン及び前記プリント部を収納する筐体とを有し、前記筐体には、前記ペーパマガジンの収納領域を外部から遮蔽可能なマガジンドアが備えられており、
前記マガジンドアは、前記収納領域を遮蔽する作用位置と、前記ペーパマガジンへのアクセスを許すメンテナンス位置との間で切り換え可能に設けられており、
前記ペーパマガジンは、前記開口部を閉じる封鎖位置と、記録紙の引き出しを許すべく前記開口部を開放した開放位置との間で切り換え可能な封鎖部材を備え、さらに、
前記マガジンドアの前記作用位置への切り換えに応じて、前記封鎖部材を前記開放位置に切り換え、且つ、前記マガジンドアの前記作用位置から前記遮蔽解除位置へ向けた変位操作に応じて、前記封鎖部材を前記封鎖位置に切り換える切換機構が設けられているプリンタであって、
前記マガジンドアを、前記作用位置と前記メンテナンス位置との中間に位置する半開位置に位置決めするための固定機構が設けられており、前記半開位置では前記封鎖部材が前記封鎖位置となるプリンタ。
【請求項２】
複数の前記ペーパマガジンと、前記複数の前記ペーパマガジンのいずれかに収納された記録紙を選択的に前記プリント部に導く搬送機構とが設けられており、いずれかのマガジンドアが前記半開位置にあるとき、前記搬送機構による前記作用位置にある他のマガジンドアのペーパマガジンから前記プリント部への記録紙の搬送を許す制御装置が設けられている請求項１に記載のプリンタ。
【請求項３】
いずれかのマガジンドアが前記メンテナンス位置にあるとき、前記搬送機構による前記作用位置にある他のマガジンドアのペーパマガジンから前記プリント部への記録紙の搬送を規制するインターロック機構が設けられている請求項２に記載のプリンタ。
【発明の詳細な説明】
【技術分野】
【０００１】
本発明は、記録紙を収納したペーパマガジンと、前記ペーパマガジンの開口部から引き出された記録紙に画像を形成するプリント部と、前記ペーパマガジン及び前記プリント部を収納する筐体とを有し、前記筐体には、前記ペーパマガジンの収納領域を外部から遮蔽可能なマガジンドアが備えられており、
前記マガジンドアは、前記収納領域を遮蔽する作用位置と、前記ペーパマガジンへのアクセスを許すメンテナンス位置との間で切り換え可能に設けられており、
前記ペーパマガジンは、前記開口部を閉じる封鎖位置と、記録紙の引き出しを許すべく前記開口部を開放した開放位置との間で切り換え可能な封鎖部材を備え、さらに、
前記マガジンドアの前記作用位置への切り換えに応じて、前記封鎖部材を前記開放位置に切り換え、且つ、前記マガジンドアの前記作用位置から前記遮蔽解除位置へ向けた変位操作に応じて、前記封鎖部材を前記封鎖位置に切り換える機構が設けられているプリンタに関する。
【背景技術】
【０００２】
この種のプリンタとしては、本発明に関連する先行技術文献情報として下記に示す特許文献１がある。この特許文献１に記されたプリンタでは、そのペーパマガジンは、プリンタのマガジン用引出しに載置されて使用され、ペーパマガジンの記録紙引き出しスリットの付近には、前記スリットを封鎖可能な弾性ロールが、マガジン用引出しをプリンタの筐体内に押込めば前記スリットを開放し、マガジン用引出しをプリンタの筐体から引き出せば前記スリットを封鎖するように、変位可能に設けられている。したがって、特許文献１のペーパマガジンでは、特に非プリント時のペーパマガジンをプリンタから取り出した状況において、弾性ロールがペーパマガジンを気密状に保持するので、周辺の湿度が内部の記録紙に与える影響を抑制できる。
【０００３】
【特許文献１】特開２００５−２７１４３３号公報（段落番号００２３〜００２４、図４、図５）
【発明の開示】
【発明が解決しようとする課題】
【０００４】
しかし、特許文献１に記されたプリンタでは、マガジン用引出しがプリンタの筐体内に押込まれている間は、記録紙引き出しスリットは弾性ロールによって閉じられず、開放されているので、例えば夜間などのプリンタを長期に停止させている期間に、ペーパマガジンの内部とプリンタの筐体内との間で空気の出入が生じ、その結果、ペーパマガジン内の記録紙が、プリンタの筐体内の湿度など周辺湿度の影響を受ける虞があった。
【０００５】
すなわち、記録紙がその設計湿度を大きく上回る湿度に曝されると、記録紙の両側片部が波打ち状に変形し、逆に記録紙がその設計湿度を大きく下回る乾燥状態に曝されると、記録紙の全体が円弧状に湾曲し、いずれの場合にも、プリント中にプリントヘッドと擦りつけられるため、形成される画像に悪い影響を及ぼす可能性がある。また、特にインクジェットプリンタにおいては、記録紙の湿度が低過ぎると、記録紙のインク受容層にひび割れ等が生じて画像に悪い影響を及ぼす可能性がある。
【０００６】
そこで、本発明の目的は、上に例示した従来技術によるプリンタの持つ前述した欠点に鑑み、夜間などのプリンタを長期に停止させている期間にも記録紙マガジン内の記録紙が周辺湿度の影響を受け難く、周辺湿度の高低に関わらず良好な画像を形成可能なプリンタを提供することにある。
【課題を解決するための手段】
【０００７】
本発明の第１の特徴構成は、記録紙を収納したペーパマガジンと、前記ペーパマガジンの開口部から引き出された記録紙に画像を形成するプリント部と、前記ペーパマガジン及び前記プリント部を収納する筐体とを有し、前記筐体には、前記ペーパマガジンの収納領域を外部から遮蔽可能なマガジンドアが備えられており、
前記マガジンドアは、前記収納領域を遮蔽する作用位置と、前記ペーパマガジンへのアクセスを許すメンテナンス位置との間で切り換え可能に設けられており、
前記ペーパマガジンは、前記開口部を閉じる封鎖位置と、記録紙の引き出しを許すべく前記開口部を開放した開放位置との間で切り換え可能な封鎖部材を備え、さらに、
前記マガジンドアの前記作用位置への切り換えに応じて、前記封鎖部材を前記開放位置に切り換え、且つ、前記マガジンドアの前記作用位置から前記遮蔽解除位置へ向けた変位操作に応じて、前記封鎖部材を前記封鎖位置に切り換える切換機構が設けられているプリンタであって、
前記マガジンドアを、前記作用位置と前記メンテナンス位置との中間に位置する半開位置に位置決めするための固定機構が設けられており、前記半開位置では前記封鎖部材が前記封鎖位置となる点にある。
【０００８】
したがって、本発明の第１の特徴構成によるプリンタでは、夜間などのプリンタを長期に停止させている期間には、マガジンドアを、作用位置とメンテナンス位置との中間に位置する半開位置に位置決めしておくことで、封鎖部材が封鎖位置に保持されるので、ロール紙マガジンの内部とプリンタの筐体内との間での空気の出入を阻止でき、その結果、ロール紙マガジン内のロール紙が、プリンタの筐体内の湿度など周辺湿度の影響を受け難くなる。
【０００９】
本発明の他の特徴構成は、複数の前記ペーパマガジンと、前記複数の前記ペーパマガジンのいずれかに収納された記録紙を選択的に前記プリント部に導く搬送機構とが設けられており、いずれかのマガジンドアが前記半開位置にあるとき、前記搬送機構による前記作用位置にある他のマガジンドアのペーパマガジンから前記プリント部への記録紙の搬送を許す制御装置が設けられている点にある。
【００１０】
本構成であれば、作用位置にマガジンドアのペーパマガジンを用いてプリント部でプリントを実施している間も、使用していない他のマガジンドアを半開位置しておくことで、この非使用中のマガジンドアのペーパマガジンに装入されている記録紙を封鎖部材によって周囲の湿度の影響から保護することができる。
【００１１】
本発明の他の特徴構成は、いずれかのマガジンドアが前記メンテナンス位置にあるとき、前記搬送機構による前記作用位置にある他のマガジンドアのペーパマガジンから前記プリント部への記録紙の搬送を規制するインターロック機構が設けられている点にある。
【００１２】
本構成であれば、マガジンドアをメンテナンス位置にして、比較的重量のある新しいロール紙をペーパマガジンに収納するなどの作業を行う際に発生する振動がプリント部に与える影響によって画質の不良なプリントが無駄に作成されてしまうなどの事態を未然に防止できる。
【発明を実施するための最良の形態】
【００１３】
以下に本発明による最良の実施形態について図面を参照しながら説明する。
図１及び図２に示すプリンタは、プリント部Ｂに設けられた微細なノズルからインク液滴を記録紙に向けて吐出するインクジェットプリンタである。また、このプリンタでは、使用可能な記録紙として、両面にレジンコート層を形成した基材の一方の面に、微細な孔を多数形成した多孔質インク受容層を形成することにより、表面に光沢を持たせた多孔タイプの記録紙がロール状に巻き取られたものを想定している。
【００１４】
〔プリンタの概略構成〕
このインクジェットプリンタは、プリンタ本体の外殻を構成する筐体１０の下方に配置された２つのマガジン収容部Ａ１、Ａ２、筐体１０の上方に配置されたプリント部Ｂ、筐体１０の側部にインク貯留部Ｃを有する。筐体１０の上面部には、比較的小さいサイズの仕上がりプリントＰ′を横送りベルト１１で送り出す仕分け部１２と、大きいサイズの仕上がりプリントＰ′を受け止めるラック板１３とが設けられている。
【００１５】
２つのマガジン収容部Ａ１、Ａ２は、互いに上下に位置する関係に配置され、何れのマガジン収容部Ａも前後方向に移動可能なドロワー１５を備え、これらのドロワー１５は、ロール紙が収納されたペーパマガジンＭ（ロール紙マガジンの一例）を載置するための支持台部１５ａと、支持台部１５ａの前端に固定されたマガジンカバー１５ｂとからなる。支持台部１５ａにはペーパマガジンＭの載置位置を一義的に定めるための一般的な位置決め手段（不図示）が設けられている。
【００１６】
オペレータがドロワー１５（マガジンドアの一例）を完全に引き出すと（「メンテナンス位置」の一例）、支持台部１５ａに載置されたペーパマガジンＭにアクセスでき、例えば、ペーパマガジンＭの内部のロール紙ＲＰを交換することができる。また、ドロワー１５を完全に押し込むと（「作用位置」の一例）、ペーパマガジンＭなどを収納した収納領域がマガジンカバー１５ｂ（マガジンドアの一例）によって外部から遮蔽され、内部のロール紙ＲＰをプリント部Ｂに向けて送り出し可能となる。
【００１７】
図３に示すように、このペーパマガジンＭは、ロール紙ＲＰを収容するためのケース１を備え、ケース１にはロール紙ＲＰを圧着してプリント部Ｂに向けて送り出す機構として、モータＤＦによって駆動される圧着型のフィードローラ３が備えられ、一旦送り出されたロール紙ＲＰを再びケース１内に巻き戻す機構として、モータＤＲによって駆動される支持ローラ４が備えられている。
プリント部Ｂでは、ペーパマガジンＭ内のロール紙ＲＰから引き出されて供給される記録紙Ｐに対して、プリントヘッドＨでのインクの吹き付けによって画像のプリントが行われる。プリント部Ｂの前面は、透明な樹脂製の窓部Ｗを備えた揺動式のカバー１０Ｂによって通常は閉じられている。
【００１８】
インク貯留部Ｃには、縦向き姿勢の軸芯周りで揺動開閉自在な側部カバー１０Ｃの内部に、互いにインク色相の異なる複数のインクカートリッジ１６が交換自在に配置されている。尚、夫々のインクカートリッジ１６は、ブラック（ＢＫ）、ライトブラック（ＬＫ）、シアン（Ｃ）、マゼンタ（Ｍ）、ライトシアン（ＬＣ）、ライトマゼンタ（ＬＭ）、イエロー（Ｙ）のインクを封入した７色のものが使用される。図面には示していないが、このインクジェットプリンタは、インクカートリッジ１６に封入されたインクを空気圧によって送り出し、サブタンク（図示せず）に一時的に貯留した後、プリントヘッドＨに供給するインクの供給系を備えている。
【００１９】
〔搬送系の構成〕
図３に示すように、このインクジェットプリンタに設けられた搬送系は、ペーパマガジンＭから提供された記録紙Ｐを、供給経路Ｕ１を介してプリント部Ｂに供給し、このプリント部Ｂではプリント搬送ユニットＵ２によって搬送を行いながらプリント処理を実行し、プリント後の記録紙ＰはカッターユニットＵ３でプリントサイズに切断し、その後、スイッチバックユニットＵ４から排出ユニットＵ５に搬送して送り出す。
供給経路Ｕ１は、下側のペーパマガジンＭから送り出された記録紙Ｐを上方にガイドするように、上側のマガジン収容部Ａに備えられたガイド体１８と、上側のペーパマガジンＭから送り出された記録紙Ｐを上方にガイドするガイド体１９とを備えている。
【００２０】
プリント搬送ユニットＵ２は、プリントヘッドＨの上流側に配置された圧着型の第１搬送ローラ２１、プリントヘッドＨの下流側に配置された圧着型の第２搬送ローラ２２、及び、第１、第２搬送ローラ２１、２２の中間位置において記録紙Ｐの裏面側を案内する案内プレート２３を備えている。案内プレート２３には多数の貫通孔が形成されており、案内プレート２３の下方位置には、これらの貫通孔と連通した負圧ケース２４と、負圧ケース２４の内部の空気を排出することで負圧ケース２４内の気圧を下げて、記録紙Ｐを案内プレート２３に押し付けるためのファン２５とを備えている。
【００２１】
第１搬送ローラ２１は、記録紙Ｐを圧着搬送するための従動ローラ２１Ａを備え、第２搬送ローラ２２は、記録紙Ｐを圧着搬送するための従動ローラ２２Ａを備え、第１搬送ローラ２１と第２搬送ローラ２２とは駆動ベルト（不図示）によって同期駆動される。そして、プリント搬送ユニットＵ２には、第１搬送ローラ２１と第２搬送ローラ２２とを同期して駆動する第２モータＤ２を備えている。
【００２２】
プリントヘッドＨを支持するキャリッジ２９は、主走査方向（記録紙Ｐの幅方向）に沿う姿勢で配置されたガイドレール２７に沿って摺動移動するスライダ２８の下面に懸架されている。
また、ガイドレール２７の両端部付近に配置した一対のプーリ３０にタイミングベルト型の駆動ベルト３１を巻回し、一方のプーリ３０を主走査用の走査モータＤＳの駆動軸に連結し、駆動ベルト３１の一端にキャリッジ２９が固定されている。走査モータＤＳによってプーリ３０を駆動回転させると、プリントヘッドＨをキャリッジ２９と共に主走査方向に往復移動させることができる。
【００２３】
そこで、記録紙Ｐに画像をプリントする際には、先ず記録紙Ｐを第１、第２搬送ローラ２１、２２によって案内プレート２３上のプリント位置に供給し、負圧によって記録紙Ｐを案内プレート２３に軽く押し付けた状態で、キャリッジ２９を主走査方向に沿う一方の方向に移動させ乍ら、この移動と連係してプリントヘッドＨから記録紙Ｐにインクを吐出することにより設定されたプリント幅で画像のプリントを行う。
【００２４】
また、前記移動に基づいてキャリッジ２９が主走査方向の端部に達した後に、第２モータＤ２で第１、第２搬送ローラ２１、２２を駆動することによりプリント幅に対応した単位搬送量だけ記録紙Ｐを副走査方向に搬送し、この後、キャリッジ２９を主走査方向に沿う他方（逆方向）に移動させ乍ら、この移動と連係してプリント幅での次のプリントを行い、このようなプリントを反復することにより記録紙Ｐに二次元画像のプリントが行われる。
【００２５】
カッターユニットＵ３は、フレーム（図示せず）に固定された固定刃３５、可動刃３６、カッターモータＤＣ、及び、カッターモータＤＣからの回転駆動力を往復作動力に変換して可動刃３６に伝えるクランク式の駆動機構３７を備える。カッターユニットＵ３の下流側には、カッターユニットＵ３の切断位置を通過した記録紙Ｐを送り出す圧着型の排出ローラ３８と、この排出ローラ３８を駆動する第３モータＤ３を備えている。
【００２６】
スイッチバックユニットＵ４は、駆動ローラ４０、駆動ローラ４０を回転駆動する駆動モータ、駆動ローラ４０に圧着する位置に配置された遊転型の反転ローラ４１と、反転ローラ４１を駆動ローラ４０の軸芯周りで正逆両方向に９０度作動させる反転機構とを備えている。このスイッチバックユニットＵ４では、上流側の排出ローラ３８によって先端側から先に送り込まれる記録紙Ｐを、駆動ローラ４０と反転ローラ４１とで圧着した状態で更に搬送した後、図３の矢印で示すように、反転ローラ４１を駆動ローラ４０の軸芯周りで９０度回転させた後、駆動ローラ４０を逆回転させることにより、記録紙Ｐを後端側から排出ユニットＵ５に送り出すことで、記録紙Ｐの表裏が反転操作される。スイッチバックユニットＵ４は、駆動ローラ４０を駆動する第４モータＤ４と、反転ローラ４１を反転作動させる反転モータ（不図示）を備えている。
【００２７】
排出ユニットＵ５は、記録紙Ｐを搬送する複数の圧着ローラ４５を備えると共に、この圧着ローラ４５で搬送される記録紙Ｐを筐体上部の横送りベルト１１とラック板１３との何れかに送り出す経路切り換え機構（図示せず）を備えている。排出ユニットＵは圧着ローラ４５を駆動する第５モータＤ５を備えている。
【００２８】
〔ペーパマガジンの構成〕
ペーパマガジンＭが備えるケース１は、図４から図６に示すように、下方ケース１ａと、下方ケース１ａの一端に備えられた水平な軸芯回りで揺動可能な上方ケース１ｂとを備える。下方ケース１ａには前述したフィードローラ３及び支持ローラ４が設けられ、上方ケース１ｂにはロール紙ＲＰを引き出すための開口部２が設けられている。図６に示すように、フィードローラ３の一方と一体連結された操作軸３ａは、下方ケース１ａの側面から外部に延出しており、操作軸３ａの端部に固定されたピニオンギヤ３ｂを介して、インクジェットプリンタの本体に設けられたペーパ供給用の駆動モータＤＦ（図３を参照）によって回転駆動される。ロール紙ＲＰをケース１内に巻き戻すための支持ローラ４についても、同様に、インクジェットプリンタの本体に設けられたモータＤＲによって回転駆動される。
【００２９】
ペーパマガジンの上方ケース１ｂには、水平方向に延びた弾性ローラ５（封鎖部材の一例）が、開口部２を閉じる「封鎖位置」と、ロール紙ＲＰの引き出しを許すべく開口部２を開放した「開放位置」との間で切り換え可能に配置されている。弾性ローラ５は、支持ロッド５ａに外嵌支持されており、支持ロッド５ａの両端と上方ケース１ｂの一部とに係止された一対の引張りバネ６によって封鎖位置に付勢されている。
【００３０】
また、プリンタ本体には、マガジン収容部Ａ１、Ａ２を構成するドロワー１５の前記メンテナンス位置からプリント用の前記作用位置への切り換えに応じて、弾性ローラ５を「封鎖位置」から「開放位置」に切り換え、他方、ドロワー１５を前記作用位置から前記メンテナンス位置へ向けて引き出す操作に応じて、弾性ローラ５を「開放位置」から「封鎖位置」に切り換える切換機構が設けられている。この切換機構は、プリンタ本体の所定箇所に固定された一対の垂直な操作ロッド５２からなり、オペレータがドロワー１５を前記作用位置に切り換える際に、弾性ローラ５の支持ロッド５ａが操作ロッド５２と接当して、プリンタの背面側への移動を阻まれるため、引張りバネ６の付勢力に抗して開口部２が開放される。
【００３１】
プリンタ本体とドロワー１５との間には、ドロワー１５を所定の箇所で位置決めする固定機構が設けられている。この固定機構はボールデテント機構からなり、プリンタ本体のフレームにクリック凸部として取り付けられた左右一対のボール７と、ドロワー１５の支持台部１５ａに形成された左右各一対のノッチ８とを含む。ボール７はコイルバネ７ａによって突出方向に付勢されている。各ノッチ８は、プリンタの正面に立つオペレータから見て最も手前側に位置する第１ノッチ８ａ、最も奥側に位置する第３ノッチ８ｃ、及び、第１ノッチ８ａと第３ノッチ８ｃとの中間に位置する第２ノッチ８ｂからなる。
【００３２】
オペレータがドロワー１５を最大限引き出すと、ボール７がコイルバネ７ａによって第３ノッチ８ｃに係入され、この係入時のクリック感と共にドロワー１５は「メンテナンス位置」に位置決めされる。次に、引き出された状態のドロワー１５をオペレータが最大限押し込むと、ボール７がコイルバネ７ａによって第１ノッチ８ａに係入され、この係入時のクリック感と共にドロワー１５は「作用位置」に位置決めされる。さらに、ドロワー１５を「作用位置」から数センチメートルだけ引き出すと、ボール７がコイルバネ７ａによって第２ノッチ８ｂに係入され、この係入時のクリック感と共にドロワー１５は「半開位置」に位置決めされるので、マガジンカバー１５ｂが幾分か開き、且つ、弾性ローラ５が「封鎖位置」となって開口部２を閉じた状態に保持される。
【００３３】
さらに、プリンタ本体とドロワー１５との間には、ドロワー１５が「作用位置」、「半開位置」及び「メンテナンス位置」のいずれに位置する状態かを検出する開度検出機構が設けられている。この開度検出機構は、ドロワー１５の支持台部１５ａにドロワー１５の引き出し方向に沿って配置された２つの永久磁石などからなる磁性片６０と、プリンタ本体に配置された２つの磁気検出素子６１とからなる。図７（ａ）と図８（ａ）に示すように、ドロワー１５が全閉された「作用位置」にあるとき、双方の磁性片６０が磁気検出素子６１と近接状態となる。また、ドロワー１５が「半開位置」にあるとき、図７（ｂ）と図８（ｂ）に示すように、片方の磁性片６０のみが磁気検出素子６１と近接状態となる。さらに、図８（ｃ）に示すように、ドロワー１５が全開された「メンテナンス位置」にあるとき、いずれの磁性片６０も磁気検出素子６１と近接状態とならない。
【００３４】
したがって、後述する制御装置５０は、図７（ａ）に示すように、双方の磁気検出素子６１が磁性片６０を検出することで、上下双方のドロワー１５がいずれも「作用位置」にあることが判別された場合には、上下いずれかのドロワー１５内のロール紙ＲＰをプリント部Ｂに送り出し可能とする。また、図７（ｂ）に示すように、上方のドロワー１５は「作用位置」であり、下方のドロワー１５については一方の磁気検出素子６１のみが磁性片６０を検出することで、「半開位置」にあることが判別された場合には、上方のドロワー１５内のロール紙ＲＰのみをプリント部Ｂに送り出し可能とする。次に、図７（ｃ）に示すように、上下いずれかのドロワー１５は「作用位置」であるが、他方のドロワー１５についてはいずれの磁気検出素子６１も磁性片６０を検出しないことで、「メンテナンス位置」にあることが判別された場合には、上下いずれのドロワー１５のロール紙ＲＰもプリント部Ｂに送り出し不可とする。この最後の事例の場合、制御装置５０と前記開度検出機構とは、下方と上方のいずれかのドロワー１５が「メンテナンス位置」にあることを検出した場合、搬送機構による作用位置にある他のマガジンドアのペーパマガジンからプリント部Ｂへのロール紙ＲＰの搬送を規制するインターロック機構として働く。
【００３５】
また、図には示されていないが、もしも、上方のドロワー１５が「半開位置」であり、下方のドロワー１５が「作用位置」であると判別された場合には、下方のドロワー１５に収納されたロール紙ＲＰを導くためのガイド体１８が、「半開位置」にある上方のドロワー１５によって遮断されているので、上下いずれのドロワー１５のロール紙ＲＰもプリント部Ｂに送り出し不可とする。なお、上方のドロワー１５にガイド体１８を複数設けておくことにより、上方のドロワー１５が「半開位置」で保持された場合にも、下方のドロワー１５から引き出されたロール紙ＲＰが、上方のドロワー１５を迂回する第２のガイド体１８を介してプリント部Ｂまで供給可能な構成にしてもよい。
また、夜間などの長期間プリントを停止する場合などには、図８（ｄ）に示すように、上下双方のドロワー１５を「半開位置」に保持すれば、内部のロール紙ＲＰに対する外気の湿度からの影響を最小限にすることができる。
【００３６】
〔制御系の構成〕
筐体１０内に設けられた制御装置５０は、マイクロプロセッサを備えており、プログラム（ソフトウエア）で成る搬送制御手段と、プリント制御手段と、調湿制御手段とを備えている。この制御装置５０は、プリントヘッドＨ、供給経路Ｕ１、プリント搬送ユニットＵ２、カッターユニットＵ３、スイッチバックユニットＵ４、及び、排出ユニットＵ５を制御するための出力系を備える。
【００３７】
制御装置５０によるプリント処理では、プリントヘッドＨが主走査方向に作動する毎に、このプリントヘッドＨによるプリント幅に対応した量だけ記録紙Ｐの搬送を行い、次に、プリント処理後の記録紙ＰをカッターユニットＵ３において必要とするサイズに切断し、このように切断された記録紙ＰをスイッチバックユニットＵ４において表裏を入れ換えた状態で排出ユニットＵ５に送り、この排出ユニットＵ５から横送りベルト１１あるいはラック板１３に排出する。
【００３８】
このようにプリント処理が行われた後には、設定時間が経過するまでに、次のプリント処理を行う場合には、前述と同様に、プリント搬送ユニットＵ２に記録紙Ｐを供給すると共に、プリント処理後の記録紙ＰをカッターユニットＵ３において必要とするサイズに切断し、このように切断された記録紙ＰをスイッチバックユニットＵ４において表裏を入れ換えた状態で排出ユニットＵ５に送り、この排出ユニットＵ５から横送りベルト１１あるいはラック板１３に排出する制御を行う。しかし、先に行われたプリント処理から設定時間以内にプリントが行われない場合、又は、作業を終了する際には、ペーパマガジンＭに対して記録紙Ｐを巻き戻す処理が行われる。
【００３９】
このような処理を制御装置５０に行わせることにより、ペーパマガジンＭから記録紙Ｐが引き出された状態が長時間継続しないようにしており、継続してプリントを行わない場合には記録紙Ｐをロール紙カートリッジ４内に巻き取り、ロール紙カートリッジ４内において記録紙Ｐの湿度をできるだけ適正に維持できるようにしている。
【図面の簡単な説明】
【００４０】
【図１】本発明に係るロール紙マガジンを用いたプリンタの外観を示す斜視図
【図２】図１のプリンタの別の状態における外観斜視図
【図３】図１のプリンタの内部を部分的に示す構成図
【図４】図１のプリンタのプリント部付近を示す斜視図
【図５】本発明の一実施形態によるロール紙マガジンを示す斜視図
【図６】図５のロール紙マガジンの一部を示す一部破断正面図
【図７】本発明の別の実施形態によるロール紙マガジンを示す一部破断側面図
【図８】図７のロール紙マガジンの外観を示す斜視図
【符号の説明】
【００４１】
Ａ１、Ａ２  マガジン収容部
Ｂ  プリント部
Ｃ  インク貯留部
Ｄ２  第２モータ
Ｄ５  第５モータ
ＤＳ  走査モータ
ＤＲ  巻き戻しモータ
Ｈ  プリントヘッド
Ｍ  ペーパマガジン（ロール紙マガジン）
Ｐ  記録紙
Ｐ′  仕上がりプリント
ＲＰ  ロール紙
１  ケース
２  開口部
３  フィードローラ
４  支持ローラ
５  弾性ローラ（封鎖部材）
６  引張りバネ
７  ボール（ボールデテント機構）
８  ノッチ（ボールデテント機構）
１０  筐体
１５  ドロワー
１５ａ  支持台部
１５ｂ  マガジンカバー
１６  インクカートリッジ
１８  ガイド体
１９  ガイド体
２１  第１搬送ローラ
２２  第２搬送ローラ
２３  案内プレート
２９  キャリッジ
５０  制御装置
５２  操作ロッド
６０  磁性片（開度検出機構、インターロック機構）
６１  磁気検出素子（開度検出機構、インターロック機構）
【図１】
2008018564.tif 000003
【図２】
2008018564.tif 000004
【図３】
2008018564.tif 000005
【図５】
2008018564.tif 000006
【図６】
2008018564.tif 000007
【図８】
2008018564.tif 000008
【図４】
2008018564.tif 000009
【図７】
2008018564.tif 000010